【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
回転操作部材と、
前記回転操作部材とともに回転する導電部材と、
互いに絶縁された複数の導電領域を有し、前記回転操作部材の回転に応じて前記導電部材が摺動可能に接触する導電パターンと、
前記回転操作部材の設定位置に応じて複数のモードを設定することが可能なモード設定手段と、を有し、
前記モード設定手段は、
前記導電部材と前記導電パターンとの接触位置に応じた複数の信号レベルの組み合わせに基づいて、前記複数のモードの一つを設定し、
前記回転操作部材の各設定位置に対応する前記複数の信号レベルの全ての組み合わせのいずれとも異なる該複数の信号レベルの二つの組み合わせに関して、前記複数のモードの少なくとも一つを設定することを特徴とする電子ダイヤル装置。
【請求項２】
前記複数のモードの数に対応する前記設定位置の数は奇数であることを特徴とする請求項１に記載の電子ダイヤル装置。
【請求項３】
前記回転操作部材には回転終点がないことを特徴とする請求項１または２に記載の電子ダイヤル装置。
【請求項４】
前記複数の信号レベルの前記二つの組み合わせは、前記回転操作部材が互いに隣接する特定の二つの設定位置の間にある場合に出現することを特徴とする請求項１乃至３のいずれか１項に記載の電子ダイヤル装置。
【請求項５】
前記信号レベルは、前記複数の導電領域のそれぞれと前記導電部材との接触状態に応じて出力されるＨレベルまたはＬレベルであることを特徴とする請求項１乃至３のいずれか１項に記載の電子ダイヤル装置。
【請求項６】
前記複数の信号レベルの前記全ての組み合わせのそれぞれに関して、該複数の信号レベルのうち少なくとも一つの信号レベルはＨレベルであることを特徴とする請求項５に記載の電子ダイヤル装置。
【請求項７】
前記回転操作部材の前記設定位置が第１の設定位置である場合、前記複数の信号レベルの前記組み合わせは第１の組み合わせであり、
前記回転操作部材の前記設定位置が前記第１の設定位置から該第１の設定位置に隣接する第２の設定位置へ変化した場合、前記複数の信号レベルの前記組み合わせは、前記第１の組み合わせに対して一つの信号レベルのみが異なる第２の組み合わせであることを特徴とする請求項５または６に記載の電子ダイヤル装置。
【請求項８】
前記回転操作部材の前記設定位置が前記第２の設定位置とは反対の回転方向において前記第１の設定位置に隣接する第３の設定位置である場合、前記複数の信号レベルの前記組み合わせは、前記第１の組み合わせに対して二つの信号レベルのみが異なる第３の組み合わせであり、
前記モード設定手段は、前記回転操作部材の前記設定位置が前記第３の設定位置から前記第１の設定位置へ変化する際に、前記複数のモードのそれぞれに対応する前記複数の信号レベルの前記全ての組み合わせのいずれとも異なる該複数の信号レベルの前記二つの組み合わせとして、前記第１の組み合わせおよび前記第３の組み合わせのいずれに対しても一つの信号レベルのみが異なる第４の組み合わせおよび第５の組み合わせに関して、前記複数のモードの少なくとも一つを設定することを特徴とする請求項７に記載の電子ダイヤル装置。
【請求項９】
前記モード設定手段は、前記複数の信号レベルの前記組み合わせが前記第４の組み合わせまたは前記第５の組み合わせである場合、前記回転操作部材が前記第１の設定位置または前記第３の設定位置にある場合に設定される一つのモードを設定することを特徴とする請求項８に記載の電子ダイヤル装置。
【請求項１０】
導電部材と、
互いに絶縁された複数の導電領域を有し、前記導電部材との相対位置の変化に応じて前記導電部材が摺動可能に接触する導電パターンと、
前記導電部材の設定位置に応じて複数のモードを設定することが可能なモード設定手段と、を有し、
前記モード設定手段は、
前記導電部材と前記導電パターンとの接触位置に応じた複数の信号レベルの組み合わせに基づいて、前記複数のモードの一つを設定し、且つ、
前記導電部材の各設定位置に対応する前記複数の信号レベルの全ての組み合わせのいずれとも異なる該複数の信号レベルの二つの組み合わせを設定し、
前記二つの組み合わせは、前記複数の設定位置のうち互いに隣接する特定の二つの設定位置の間に設定され、
前記二つの組み合わせに設定されるモードは、前記特定の二つの設定位置に対応して設定された二つのモードのどちらか一方の一つのモードと同一のモードであることを特徴とする電子ダイヤル装置。
【請求項１１】
前記導電部材と前記導電パターンとの前記相対位置は、前記導電部材と前記導電パターンとの相対回転に応じて変化することを特徴とする請求項１０に記載の電子ダイヤル装置。
【請求項１２】
前記複数のモードの数に対応する前記設定位置の数は奇数であることを特徴とする請求項１０または１１に記載の電子ダイヤル装置。
【請求項１３】
前記相対回転には回転終点がないことを特徴とする請求項１１に記載の電子ダイヤル装置。
【請求項１４】
前記信号レベルは、前記複数の導電領域のそれぞれと前記導電部材との接触状態に応じて出力されるＨレベルまたはＬレベルであることを特徴とする請求項１０乃至１３のいずれか１項に記載の電子ダイヤル装置。
【請求項１５】
前記複数の信号レベルの前記全ての組み合わせのそれぞれに関して、該複数の信号レベルのうち少なくとも一つの信号レベルはＨレベルであることを特徴とする請求項１４に記載の電子ダイヤル装置。
【請求項１６】
前記導電部材の前記設定位置が第１の設定位置である場合、前記複数の信号レベルの前記組み合わせは第１の組み合わせであり、
前記導電部材の前記設定位置が前記第１の設定位置から該第１の設定位置に隣接する第２の設定位置へ変化した場合、前記複数の信号レベルの前記組み合わせは、前記第１の組み合わせに対して一つの信号レベルのみが異なる第２の組み合わせであることを特徴とする請求項１４または１５に記載の電子ダイヤル装置。
【請求項１７】
前記導電部材の前記設定位置が前記第２の設定位置とは反対の回転方向において前記第１の設定位置に隣接する第３の設定位置である場合、前記複数の信号レベルの前記組み合わせは、前記第１の組み合わせに対して二つの信号レベルのみが異なる第３の組み合わせであり、
前記モード設定手段は、前記導電部材の前記設定位置が前記第３の設定位置から前記第１の設定位置へ変化する際に、前記複数のモードのそれぞれに対応する前記複数の信号レベルの前記全ての組み合わせのいずれとも異なる該複数の信号レベルの前記二つの組み合わせとして、前記第１の組み合わせおよび前記第３の組み合わせのいずれに対しても一つの信号レベルのみが異なる第４の組み合わせおよび第５の組み合わせに関して、前記複数のモードの少なくとも一つを設定することを特徴とする請求項１６に記載の電子ダイヤル装置。
【請求項１８】
前記モード設定手段は、前記複数の信号レベルの前記組み合わせが前記第４の組み合わせまたは前記第５の組み合わせである場合、前記導電部材が前記第１の設定位置または前記第３の設定位置にある場合に設定される一つのモードを設定することを特徴とする請求項１７に記載の電子ダイヤル装置。
【請求項１９】
請求項１乃至１８のいずれか１項に記載の電子ダイヤル装置を有することを特徴とする電子機器。
【手続補正２】
【補正対象書類名】明細書
【補正対象項目名】００１０
【補正方法】変更
【補正の内容】
【００１０】
本発明の一側面としての電子ダイヤル装置は、回転操作部材と、前記回転操作部材とともに回転する導電部材と、互いに絶縁された複数の導電領域を有し、前記回転操作部材の回転に応じて前記導電部材が摺動可能に接触する導電パターンと、前記回転操作部材の設定位置に応じて複数のモードを設定することが可能なモード設定手段とを有し、前記モード設定手段は、前記導電部材と前記導電パターンとの接触位置に応じた複数の信号レベルの組み合わせに基づいて、前記複数のモードの一つを設定し、前記回転操作部材の各設定位置に対応する前記複数の信号レベルの全ての組み合わせのいずれとも異なる該複数の信号レベルの二つの組み合わせに関して、前記複数のモードの少なくとも一つを設定する。
また、本発明の一側面としての電子ダイヤル装置は、導電部材と、互いに絶縁された複数の導電領域を有し、前記導電部材との相対位置の変化に応じて前記導電部材が摺動可能に接触する導電パターンと、前記導電部材の設定位置に応じて複数のモードを設定することが可能なモード設定手段と、を有し、前記モード設定手段は、前記導電部材と前記導電パターンとの接触位置に応じた複数の信号レベルの組み合わせに基づいて、前記複数のモードの一つを設定し、且つ、前記導電部材の各設定位置に対応する前記複数の信号レベルの全ての組み合わせのいずれとも異なる該複数の信号レベルの二つの組み合わせを設定し、前記二つの組み合わせは、前記複数の設定位置のうち互いに隣接する特定の二つの設定位置の間に設定され、前記二つの組み合わせに設定されるモードは、前記特定の二つの設定位置に対応して設定された二つのモードのどちらか一方の一つのモードと同一のモードであることを特徴とする。
【手続補正３】
【補正対象書類名】明細書
【補正対象項目名】００１１
【補正方法】変更
【補正の内容】
【００１１】
本発明の他の側面としての電子機器は、上述の電子ダイヤル装置を有する。